(57)【要約】【課題】外力による光学系の移動を確実に防止すると共に、フードの不使用時にフードを収納して保持すること。【解決手段】フード環６は、光軸ＯＰに沿って移動可能であり、案内領域（添字ａで示し、フード環６の移動とズーム操作を連動する領域）、収納領域（添字ｂで示し、フード環６を退動して収納する領域）、ロック領域（即ち、第１ロック領域、添字ｃで示し、フード環６をロックすると同時に、レンズ群をロックする領域）、及び、ズーム領域（即ち、第２ロック領域、添字ｄで示し、フード環６をロックした状態でありながら、ズーム操作を行える領域）の４個の領域を取ることができる。【選択図】図５
2007206541.tif 000002
【特許請求の範囲】
【請求項１】
光軸方向に沿って移動可能に設けたフードと、
当該フードを移動するための操作手段と、
前記フードの不使用時、当該フードを収納して保持する収納・保持手段と、を具備することを特徴とするレンズ鏡筒。
【請求項２】
前記レンズ鏡筒は、焦点距離を変化させるズーム機構を備え、
前記操作手段は、当該ズーム機構の操作部であり、
当該操作部のズーム操作に連動して、前記フードの有効長を変化させることを特徴とする請求項１に記載のレンズ鏡筒。
【請求項３】
前記収納・保持手段は、前記フードを収納して保持する際、前記ズーム機構をロックすることを特徴とする請求項１又は２に記載のレンズ鏡筒。
【請求項４】
前記収納・保持手段は、前記フードを収納して１段階目で保持した後、２段階目で保持することができ、
前記フードを２段階目で保持している際、前記ズーム機構の操作部は、操作可能であることを特徴とする請求項２又は３に記載のレンズ鏡筒。
【請求項５】
前記ズーム機構は、
カムピンに係合した固定カム溝を有する固定環と、
前記カムピンに係合した回転カム溝を有する回転カム環と、
前記操作部の操作に連動した当該回転カム環の回転により、前記カムピンを介して、光軸方向に案内されるレンズ移動環と、を具備することを特徴とする請求項２乃至４の何れか１項に記載のレンズ鏡筒。
【請求項６】
前記収納・保持手段は、
前記フードに形成した突起部と、
固定環に形成され、当該突起部を案内するフード案内溝と、を有することを特徴とする請求項５に記載のレンズ鏡筒。
【請求項７】
前記フード案内溝は、
前記固定環に光軸方向に延在して形成され、前記突起部に係合して当該突起部を光軸方向に案内する直線部と、
光軸回りの周方向に形成され、前記突起部に係合して当該突起部を２段階で保持する２段階の保持部と、を有することを特徴とする請求項６に記載のレンズ鏡筒。
【請求項８】
前記フードは、
前記カムピンに係合して、前記フードを移動、及び収納・保持するフードカム溝を有することを特徴とする請求項５に記載のレンズ鏡筒。
【請求項９】
前記フードカム溝は、
前記カムピンに係合して、前記フードを軸方向に案内する案内領域と、
前記カムピンに係合して、当該案内領域で案内された前記フードを収納する収納領域と、
光軸回りの周方向に沿って形成され、前記カムピンに係合して前記フードを保持する保持領域と、
前記ズーム機構の操作部の操作に連動して前記カムピンが回転・移動する際、当該カムピンに係合するズーム領域と、を有することを特徴とする請求項８に記載のレンズ鏡筒。
【発明の詳細な説明】
【技術分野】
【０００１】
本発明は、フード移動機構を備えたレンズ鏡筒に関する。
【背景技術】
【０００２】
ズーミングに伴い画角が変化するズームレンズの鏡筒では、画角に応じて不要な光線の入射をフードにより制限することが望ましい。
【０００３】
しかし、従来、ズームレンズに用いるフードでは、広角側の画角に合わせて遮光するように設定してあり、その結果、望遠側の画角に対して、十分な遮光能力が得られないといったことがある。
【０００４】
従来は、ズームの操作部材の駆動力をカム環の回転によりメカニカル的にフード可動機構に伝達し、フード筒が進退および沈胴・収納するように構成してある。
【０００５】
このような構成であると、手動でズームの操作部材を操作するレンズ交換可能なカメラシステムにおいて、従来と共通の操作系を実現することが容易であり、加えて、複数のレンズを交換して使用する際でも、ユーザーの混乱を招くことがない。
【特許文献１】特開２００１−２１５３９１号公報
【発明の開示】
【発明が解決しようとする課題】
【０００６】
ところで、カメラ用ズームレンズでは、携帯時に生じる加速度やズーム・光学系レンズ群の自重により、撮影者の意図せぬ状況で、レンズ群の移動が生起することがある。これは、携帯時の快適性を損なう。
【０００７】
しかしながら、従来は、ズーム・光学系レンズ群に対して外力が作用した際、レンズ群の設計者の意図せぬ移動が起こり、それに伴ってフードも伸縮してしまうというといった虞れがある。
【０００８】
一方、撮影時にフードが周囲に威圧感を与える場合、前ぼけを有効に活かした撮影を望む場合など、撮影対象によっては、フードの使用が適さない状況が存在し、必要に応じてフードを使用するか否かを選択できることが望ましい。
【０００９】
しかしながら、従来は、ズームに連動してフードの有効長が変化するが、フードの使用を選択することはできないといったことがある。
【００１０】
従って、簡便な方法でフードの有効長を変化でき、レンズ群の不用意な移動を防止すると共に、不使用時にフードを収納可能にしたいといった要望がある。
【００１１】
本発明は、上述したような事情に鑑みてなされたものであって、外力による光学系の移動を確実に防止すると共に、フードの不使用時にフードを収納して保持することができる、レンズ鏡筒を提供することを目的とする。
【課題を解決するための手段】
【００１２】
上記の目的を達成するため、本発明に係るレンズ鏡筒は、光軸方向に沿って移動可能に設けたフードと、当該フードを移動するための操作手段と、前記フードの不使用時、当該フードを収納して保持する収納・保持手段と、を具備することを特徴とする。
【発明の効果】
【００１３】
本発明によれば、外力による光学系の移動を確実に防止すると共に、フードの不使用時にフードを収納して保持することができる。
【発明を実施するための最良の形態】
【００１４】
以下、本発明の実施の形態に係るレンズ鏡筒を図面を参照しつつ説明する。図１は、本発明の実施の形態に係るレンズ鏡筒の半断面図である。図２は、図１のＩＩ−ＩＩ線に沿った断面図である。図３は、図１に示した可動カム環の展開図である。図４は、図１に示した固定カム環の展開図である。
【００１５】
図１に示すように、レンズは、物体側から順に、第１レンズ群Ｌ１、第２レンズ群Ｌ２、 及び第３レンズ群Ｌ３からなる３群構成となっている。ズーミングにより第１レンズ群Ｌ１と第３レンズ群Ｌ３が、フォーカシングにより第２レンズ群Ｌ２が、光軸ＯＰに沿って移動する。
【００１６】
符号１は、第２レンズ群Ｌ２を保持するレンズ室であり、不図示の機構により光軸ＯＰに沿って移動し、フォーカシングを行う。符号２は、第３レンズ群Ｌ３を保持するレンズ室であり、不図示の機構によりズーム操作環５の回転により光軸ＯＰに沿って移動し、ズーミングを行う。
【００１７】
符号４は、外筒であり、カメラボディ側のマウントに装着するためのバヨネット４１が設けてある。外筒４の外周面には、後述するズーム操作環５を案内するためのズーム操作環案内溝４２が形成してあり、外筒４の内周面には、後述するフード環６を案内するための直線状で光軸ＯＰ方向に延びるフード案内溝４３が形成してある。
【００１８】
符号５は、ズーム操作環であり、外筒４に緩やかに嵌合してあり、外筒４に設けたズーム操作環案内溝４２により周方向にのみ回転するようになっている。
【００１９】
符号６は、フード環であり、遮光を行う筒状のフード部６１を有している。フード環６は、後に詳述するが、カムピン１０に係合するフードカム溝６２、外筒４のフード案内溝４３に案内されて光軸ＯＰに沿って移動する突起部６３、及び、先端部に設けたローレット６４を有している。
【００２０】
符号７は、第１レンズ室駆動環であり、第１レンズ群Ｌ１の保持及びこれを駆動するようになっている。
【００２１】
符号８は、回転カム環である。回転カム環８とズーム操作環５は、ズーム操作環回転伝達レバー５１により連結してあり、ズーム操作環５の回転に伴って、回転カム環８は、円周方向に等しく回転のみするようになっている。
【００２２】
符号９は、固定カム環であり、外筒４に固定してある。
【００２３】
回転カム環８には、第１レンズ室駆動環７に固定したカムピン１０に係合する回転カム溝８１が形成してあると共に、固定カム環９には、カムピン１０に係合する固定カム溝９１が形成してある。
【００２４】
回転カム溝８１は、図３に示すように、展開図では、光軸ＯＰに対して斜めであって略円弧状に形成してある。固定カム溝９１は、図４に示すように、展開図では、光軸ＯＰに斜めであって直線状に形成してある。
【００２５】
従って、ズーム時には、ズーム操作環５の回転に連動して回転カム環８が回転すると、この回転カム環８の回転により、カムピン１０は、回転のみする回転カム溝８１と静止した固定カム溝９１にならって、光軸ＯＰの回りに回動しながら光軸ＯＰ方向に移動する。その結果、第１レンズ室駆動環７は、テレ端からワイド端まで、光軸ＯＰの回りに回動しながら光軸ＯＰ方向に移動する。
【００２６】
なお、回転カム環８の内周面には、光軸ＯＰに垂直で周方向に、光軸方向移動規制溝８２が形成してあり、固定カム環９上に設けた光軸方向移動規制突起９２に案内され、その結果、回転カム環８は、光軸ＯＰ方向への並進移動を拘束されるようになっている。
【００２７】
また、ワイド端時には、回転カム環８の内周面のクリック溝８３と固定カム環９の外周面に固定したワイド端クリック機構用ばね１１により、ズーム操作環５にクリック感をもたせ、ズームポジションがワイド端であることを撮影者に認知させるように構成してある。
【００２８】
図５（ａ）は、図１に示したフード環の展開図であり、（ｂ）は、外筒に形成したフード案内溝の展開図である。図６は、フードカム溝、回転カム溝、及び固定カム溝の連結状態を示す展開図である。図７は、フード環のロック時に於けるクリック機構の部分断面図である。
【００２９】
本実施の形態では、フード環６は、光軸ＯＰに沿って移動可能であり、案内領域（添字ａで示し、フード環６の移動とズーム操作を連動する領域）、収納領域（添字ｂで示し、フード環６を退動して収納する領域）、ロック領域（即ち、第１ロック領域、添字ｃで示し、フード環６をロックすると同時に、レンズ群をロックする領域）、及び、ズーム領域（即ち、第２ロック領域、添字ｄで示し、フード環６をロックした状態でありながら、ズーム操作を行える領域）の４個の領域を取ることができる。
【００３０】
図５（ａ）に示すように、フード環６のフードカム溝６２は、展開図では、光軸ＯＰに対して斜めで略円弧状に形成した案内領域６２ａ、光軸ＯＰに対して斜めで略円弧状に形成した収納領域６２ｂ、光軸ＯＰの回りに周方向に直線状に形成したロック領域６２ｃ（第１ロック領域）、及び、光軸ＯＰに対して斜めで直線状に形成したズーム領域６２ｄ（第２ロック領域）の４個の領域のカム溝を有している。
【００３１】
図５（ａ）（ｂ）に示すように、外筒４のフード案内溝４３は、フード環６の突起部６３を係合してフード環６を案内するが、案内領域に対応する直線部４３ａ、及び収納領域に対応する直線部４３ｂを有している。加えて、光軸ＯＰ回りの周方向に形成したロック領域（第１ロック領域）に対応する第１ロック部４３ｃ、及びこれに連続して周方向に形成したズーム領域（第２ロック領域）に対応する第２ロック部４３ｄを有している。
【００３２】
図７に示すように、フード環６をロックする際には、フード環６を周方向に回動操作して、フード環６をロック領域（第１ロック領域）に案内し、次いで、ズーム領域（第２ロック領域）に案内するが、このロック時に於けるクリック機構が設けてある。
【００３３】
外筒４の内周側に形成した孔に、ボール４４が収納してあり、このボール４４を付勢するためのバネ４５が設けてある一方、フード環６の外周側には、このボール４４に係合するための２個の凹部６５ｃ，６５ｄが形成してある。凹部６５ｃは、ロック領域（第１ロック領域）に対応し、凹部６５ｄは、ズーム領域（第２ロック領域）に対応してある。
【００３４】
なお、図３に示すように、回転カム環８の回転カム溝８１は、第１レンズ室駆動環７をテレ端からワイド端まで移動するための案内領域８１ａに加えて、回転カム環８をフード環６の収納領域に回動操作し、フード環６を退動して収納する収納領域８１ｂを有している。図４に示すように、固定カム環９の固定カム溝９１も、案内領域９１ａに加えて、フード環６を収納するための収納領域９１ｂを有している。
【００３５】
以上の構成に於いて、図８乃至図１１を参照しつつ、ズーム操作とフード環６の移動及びロックを説明する。
【００３６】
図８（ａ）（ｂ）は、フード環の使用時で、ズーム操作環５をテレ端に設定した状態の半断面図及び展開図である。図８（ｃ）（ｄ）は、ズーム操作環５をワイド端に設定した状態の半断面図及び展開図である。
【００３７】
ズーム時には、ズーム操作環５の回転に連動した回転カム環８の回転により、カムピン１０は、回転のみする回転カム溝８１の案内領域８１ａと静止した固定カム溝９１の案内領域９１ａにならって、光軸ＯＰの回りに回動しながら光軸ＯＰ方向に移動し、第１レンズ室駆動環７は、テレ端からワイド端まで、光軸ＯＰの回りに回動しながら光軸ＯＰ方向に移動する。
【００３８】
このズーム時、図８（ｂ）（ｄ）に示すように、ガイドピン１０は、フードカム溝６２の案内領域６２ａにも沿って移動する。これにより、フード環６は、突起部６３をフード案内溝４３の直線部４３ａに係合させて直線案内され、その結果、テレ端からワイド端までのズーム操作環５の回転角に連動して、非回転の状態で移動する。フードの有効長を変化させ、ズーミング及びその画角変化に適した遮光を行うことができる。
【００３９】
なお、ワイド端時には、図１に示すように、回転カム環８のクリック溝８３と固定カム環９のワイド端クリック機構用ばね１１により、ズーム操作環５にクリック感をもたせ、ズームポジションがワイド端であることを撮影者に認知させている。
【００４０】
図９（ａ）（ｂ）は、ズーム操作環５をフード環６の収納領域に回動操作し、フード環６を退動して収納した状態の半断面図及び展開図である。
【００４１】
ズーム操作環５をワイド端の状態からさらに回動操作すると、フード環６は、カムピン１０を回転カム溝８１の収納領域８１ｂ、固定カム溝９１の収納領域９１ｂ、及びフードカム溝６２の収納領域６２ｂにならわせながら、非回転の状態で退動して収納領域に案内される。
【００４２】
なお、この収納領域の際、図５（ｂ）に於いて、フード環６の突起部６３は、フード案内溝４３の直線部４３ａから直線部４３ｂに移動する。
【００４３】
ここで、フードカム溝６２の収納領域６２ｂは、固定カム溝９１の収納領域９１ｂに対して急峻なカム形状となっている。そのため、フード環６は、第１レンズ群Ｌ１の沈胴量に対して大きく沈胴し、フード長を極端に短くすることができ、運搬時に高い利便性が得られる。
【００４４】
図９（ｃ）（ｄ）は、フード環６の不使用時で、フード環６をロック領域（第１ロック領域）に回動操作して、フード環６をロックすると同時に、レンズ群をロックした状態の半断面図及び展開図である。
【００４５】
フード環６のローレット６４を回動操作すると、図５（ｂ）に於いて、フード環６の突起部６３は、フード案内溝４３の直線部４３ｂから第１ロック部４３ｃに周方向に移動する。図９（ｃ）（ｄ）に於いては、フードカム溝６２は、収納領域６２ｂからのロック領域６２ｃ（第１ロック領域）に周方向に移動する。
【００４６】
これにより、フード環６をロックすると同時に、レンズ群をロックした状態にすることができる。即ち、第１レンズ群Ｌ１およびフード環６に対して外力が生じても、カムピン１０が移動することはなく、第１レンズ群Ｌ１およびフード環６は、ロック状態となる。従って、外力による光学系の移動を確実に防止することができる。
【００４７】
なお、フード環６のローレット６４を回動操作すると、図７に於いて、クリック機構は、ボール４４に、フード環６の１個目の凹部６５ｃが係合する。これにより、ロック状態であることを使用者に明確に認知させることができる。
【００４８】
図１０（ａ）（ｂ）は、フード環６の不使用時で、フード環６をズーム領域（第２ロック領域）に回動操作した状態の半断面図及び展開図である。
【００４９】
フード環６のローレット６４を回動操作すると、図５（ｂ）に於いて、フード環６の突起部６３は、フード案内溝４３の第１ロック部４３ｃから第２ロック部４３ｄに周方向に移動する。図１０（ａ）（ｂ）に於いては、フードカム溝６２は、ロック領域６２ｃ（第１ロック領域）からズーム領域６２ｄ（第２ロック領域）に周方向に移動する。
【００５０】
これにより、フード環６をロックした状態で、ズーム操作が可能な準備段階に入る。なお、フード環６のローレット６４を回動操作すると、図７に於いて、クリック機構は、ボール４４に、フード環６の２個目の凹部６５ｄが係合する。これにより、ズーム領域（第２ロック領域）に入ったことを使用者に明確に認知させることができる。
【００５１】
また、この状態から、固定カム溝９１の案内領域９１ａとフードカム溝６２のズーム領域６２ｄ（第２ロック領域）とは、互いに重なり合い、同一形状であり、かつ、その位置も一致するようになる。
【００５２】
図１０（ｃ）（ｄ）は、フード環６の不使用時で、フード環６をズーム領域（第２ロック領域）でロックした状態でありながら、ズーム操作環５をワイド端に回動操作した状態の半断面図及び展開図である。図１１（ａ）（ｂ）は、フード環６の不使用時で、フード環６をズーム領域（第２ロック領域）でロックした状態でありながら、ズーム操作環５をテレ端に回動操作した状態の半断面図及び展開図である。
【００５３】
このズーム領域（第２ロック領域）状態で、ズームする際には、ズーム操作環５を回転すると、カムピン１０は、回転カム溝８１の案内領域８１ａと固定カム溝９１の案内領域９１ａにならって、光軸ＯＰの回りに回動しながら光軸ＯＰ方向に移動し、第１レンズ室駆動環７は、テレ端からワイド端まで、光軸ＯＰの回りに回動しながら光軸ＯＰ方向に移動する。
【００５４】
この際、フード環６は、図５（ｂ）に於いては、突起部６３を第２ロック部４３ｄに係合した状態であり、図１０（ａ）（ｂ）に於いては、フードカム溝６２は、ロックピン１０をズーム領域６２ｄ（第２ロック領域）に係合した状態にあり、ロック状態を維持することができる。
【００５５】
フード環６を使用してのズーム操作と、フード環６を不使用にしてのズーム操作とは、フード環６の第１及び第２ロック状態を介して、相互に自由に遷移可能であり、使用者は簡便な操作でフード環６の使用を選択することができる。しかも、フード環６の不使用時には、レンズ群をロックすることもできる。
【００５６】
なお、本発明は、上述した実施の形態に限定されず、種々変形可能である。
【図面の簡単な説明】
【００５７】
【図１】本発明の実施の形態に係るレンズ鏡筒の半断面図である。
【図２】図１のＩＩ−ＩＩ線に沿った断面図である。
【図３】図１に示した可動カム環の展開図である。
【図４】図１に示した固定カム環の展開図である。
【図５】（ａ）は、図１に示したフード環の展開図であり、（ｂ）は、外筒に形成したフード案内溝の展開図である。
【図６】フードカム溝、回転カム溝、及び固定カム溝の連結状態を示す展開図である。
【図７】フード環のロック時に於けるクリック機構の部分断面図である。
【図８】（ａ）（ｂ）は、フード環の使用時で、ズーム操作環をテレ端に設定した状態の半断面図及び展開図である。（ｃ）（ｄ）は、フード環の使用時で、ズーム操作環をワイド端に設定した状態の半断面図及び展開図である。
【図９】（ａ）（ｂ）は、ズーム操作環をフード環の収納領域に回動操作し、フード環を退動して収納した状態の半断面図及び展開図である。（ｃ）（ｄ）は、フード環の不使用時で、フード環をロック領域（第１ロック領域）に回動操作して、フード環をロックすると同時に、レンズ群をロックした状態の半断面図及び展開図である。
【図１０】（ａ）（ｂ）は、フード環の不使用時で、フード環をズーム領域（第２ロック領域）に回動操作した状態の半断面図及び展開図である。（ｃ）（ｄ）は、フード環の不使用時で、フード環をズーム領域（第２ロック領域）でロックした状態でありながら、ズーム操作環をワイド端に回動操作した状態の半断面図及び展開図である。
【図１１】（ａ）（ｂ）は、フード環の不使用時で、フード環をズーム領域（第２ロック領域）でロックした状態でありながら、ズーム操作環をテレ端に回動操作した状態の半断面図及び展開図である。
【符号の説明】
【００５８】
４…外筒（固定環）、５…ズーム操作環（操作部）、６…フード環（フード）、７…第１レンズ室移動環（レンズ移動環）、８…回転カム環、９…固定カム環（固定環）、１０…カムピン、４３…フード案内溝、４３ａ，４３ｂ…案内領域及び収納領域（直線部）、４３ｃ，４３ｄ…ロック領域及びズーム領域（２段階の保持部）、６２…フードカム溝、６２ａ…案内領域、６２ｂ…収納領域、６２ｃ…ロック領域、６２ｄ…ズーム領域、６３…突起部。
【図１】
2007206541.tif 000003
【図２】
2007206541.tif 000004
【図３】
2007206541.tif 000005
【図４】
2007206541.tif 000006
【図５】
2007206541.tif 000007
【図６】
2007206541.tif 000008
【図７】
2007206541.tif 000009
【図８】
2007206541.tif 000010
【図９】
2007206541.tif 000011
【図１０】
2007206541.tif 000012
【図１１】
2007206541.tif 000013